(57)【要約】【課題】各基板に形成すべき電極が多い場合であっても、液晶パネルの占めるスペースを大きくすることなく、かつ、比較的容易に電極の形成を行うことができる液晶表示装置、およびこれを用いた電子機器を提供する。【解決手段】本発明にかかる液晶表示装置は、相互に対向する第１基板および第２基板と、両基板間に介挿される枠状のシール部と、前記第１基板、第２基板およびシール部によって囲まれる領域に封入された液晶とを具備し、前記第１基板は複数の第１電極を備える一方、前記第２基板は、前記第１基板と対向する対向領域に複数の第２電極を備えるとともに、前記第１基板の縁部から張り出した張出領域に、前記複数の第１電極に接続される第１駆動回路と、前記複数の第２電極に接続される第２駆動回路とを備えている。【選択図】図５
2006243773.tif 000002
【特許請求の範囲】
【請求項１】
相互に対向する第１基板および第２基板と、当該両基板間に介挿されるシール部と、前記第１基板、前記第２基板および前記シール部によって囲まれる領域に封入された液晶とを具備する液晶表示装置であって、
前記第１基板は、複数の第１電極を備え、
前記第２基板は、前記第１基板と対向する対向領域に複数の第２電極を備えるとともに、前記第１基板の縁部から張り出した張出領域を備え、
前記張出領域に、前記複数の第１電極に接続される第１駆動回路と、前記複数の第２電極に接続される第２駆動回路とを備え、
前記対向領域において、前記複数の第１電極と前記複数の第２電極とが交差する画像表示領域が設けられ、当該画像表示領域以外の領域において前記複数の第１の電極または前記複数の第２電極が至るように形成される
ことを特徴とする液晶表示装置。
【請求項２】
前記第１駆動回路および前記第２駆動回路のうち、前記複数の第１電極および前記複数の第２電極のうちの電極の数が多い方に接続されるものは前記張出領域の中央部近傍に配設されることを特徴とする請求項１に記載の液晶表示装置。
【請求項３】
前記第１駆動回路は前記張出領域の中央部近傍に配設され、前記第１電極は、前記シール部内の導電性材料を介して前記第１駆動回路に導通されることを特徴とする請求項１に記載の液晶表示装置。
【請求項４】
請求項１乃至請求項３のいずれか一項に記載の液晶表示装置を表示部として備えたことを特徴とする電子機器。
【発明の詳細な説明】
【技術分野】
【０００１】
本発明は、液晶表示装置およびこれを用いた電子機器に関する。
【背景技術】
【０００２】
図８は、従来の液晶パネルの構成を示す平面図である。同図に示すように、この液晶パネルは、相互に対向配置される第１基板１および第２基板２と、両基板間に介挿されるシール部３と、第１基板１、第２基板２およびシール部３によって囲まれる領域内に封入される液晶とにより構成されている。ここで、第１基板１と第２基板２とが対向して貼り合わされた状態において、第１基板１は第２基板２の縁部から張り出す領域（以下、「張出領域Ｃ」という）を有しており、第２基板２は第１基板１の縁部から張り出す領域（以下、「張出領域Ｄ」という）を有するようになっている。第１基板１の内側（液晶４側）には、複数のデータ電極（データ電極）１１が形成されており、各データ電極１１は第１基板１の上記張出領域Ｃに至って、当該領域に配設されるデータ電極駆動回路５の出力端子にそれぞれ接続されている。一方、第２基板２の内側（液晶側）には、上記複数のデータ電極１１の各々に直交するように複数の走査電極２１が形成されており、各走査電極２１は第２基板２のうちの上記張出領域Ｄに至って、当該領域に配設された走査電極駆動回路６の出力端子にそれぞれ接続されている。このような構成により、各データ電極１１にはデータ電極駆動回路５からの出力信号が、各走査電極２１には走査電極駆動回路６からの出力信号が、それぞれ供給されるようになっている。
【０００３】
しかしながら、上記構成とした場合、各基板が他の基板に対して張り出す領域を有しているため、液晶パネルが占めるスペースが大きくなってしまうといった問題があった。
【０００４】
このような問題を解決するため、図９に示す構成の液晶パネルが提案されるに至った。この液晶パネルは、同図に示すように、第２基板２が第１基板１よりも大きく形成されており、第２基板２の一部が第１基板１の縁部から張り出すようになっている。そして、当該領域には、第１基板１上のデータ電極１１および第２基板２上の走査電極２１に所定の電圧を供給するための液晶駆動回路７（すなわち、上記データ電極駆動回路５と走査電極駆動回路６の機能を兼ね備えたＩＣ）が配設されるとともに、この液晶駆動回路７の各出力端子が、データ電極１１および走査電極２１の各々に導通されるようになっている。このような構成とすることにより、前掲図８に示した液晶パネルと比較して、上記張出領域Ｃの分だけ液晶パネルを小さくすることができる。なお、第１基板１上に形成されたデータ電極１１の各々は、シール材３に混入された導電性材料を介して第２基板２上の液晶駆動回路７の各出力端子と導通されるようになっている。
【発明の開示】
【発明が解決しようとする課題】
【０００５】
ところで、近年、液晶パネルの大型化および高解像度化が要求されるようになったことに伴い、液晶パネルの各基板上に形成される電極の数が増大するに至った。このため、非常に多数の電極を、相互に短絡させることなく１つの液晶駆動回路に至るように形成しなければならず、電極の形成が極めて困難となっていた。
【０００６】
本発明は、以上説明した事情に鑑みてなされたものであり、各基板に形成すべき電極が多い場合であっても、液晶パネルの占めるスペースを大きくすることなく、かつ、比較的容易に電極の形成を行うことができる液晶表示装置、およびこれを用いた電子機器を提供することを目的としている。
【課題を解決するための手段】
【０００７】
この発明は、相互に対向する第１基板および第２基板と、当該両基板間に介挿されるシール部と、前記第１基板、前記第２基板および前記シール部によって囲まれる領域に封入された液晶とを具備する液晶表示装置であって、前記第１基板は、複数の第１電極を備え、前記第２基板は、前記第１基板と対向する対向領域に複数の第２電極を備えるとともに、前記第１基板の縁部から張り出した張出領域を備え、前記張出領域に、前記複数の第１電極に接続される第１駆動回路と、前記複数の第２電極に接続される第２駆動回路とを備え、前記対向領域において、前記複数の第１電極と前記複数の第２電極とが交差する画像表示領域が設けられ、当該画像表示領域以外の領域において前記複数の第１の電極または前記複数の第２電極が至るように形成されることを特徴とする液晶表示装置を提供するものである。
【０００８】
かかる液晶表示装置によれば、一方の基板にのみ駆動回路が配設されているので、液晶表示装置の大きさを小さくすることができるという利点がある。さらに、第１電極および第２電極に接続される駆動回路が別個に配設されるようになっているため、第１電極および第２電極を１つの駆動回路に接続する場合と比較して、電極の形成が容易となる。
【０００９】
ここで、前記第１駆動回路および前記第２駆動回路のうち、前記複数の第１電極および前記複数の第２電極のうちの電極の数が多い方に接続されるものは前記張出領域の中央部近傍に配設されるようにしてもよい。この場合には、第１電極および第２電極のうちの数が多い方に接続される駆動回路が張出領域の中央部近傍に配設され、他方の駆動回路がそれ以外の領域に配設されるようになっている。従って、第１電極および第２電極のうちの数が多い方を優先的に形成することができ、電極の形成がより容易になるという利点がある。
【００１０】
また、前記第１駆動回路は前記張出領域の中央部近傍に配設され、前記第１電極は、前記シール部内の導電性材料を介して前記第１駆動回路に導通されるようにしてもよい。この場合には、第１電極と第１駆動回路とが確実に導通されるように、優先的に第１電極を形成することができるという利点がある。
【００１１】
この発明は、本発明の液晶表示装置を表示部として備えたことを特徴とする電子機器を提供するものである。かかる電子機器によれば、表示部たる液晶表示装置の大きさを小さくすることができるから、電子機器自体の小型化を図ることができる。さらに、液晶表示装置の電極の形成を容易に行うことができる。
【発明を実施するための最良の形態】
【００１２】
以下、図面を参照して、本発明の実施形態について説明する。かかる実施の形態は、本発明の一態様を示すものであり、この発明を限定するものではなく、本発明の範囲内で任意に変更可能である。
【００１３】
Ａ：実施形態の構成
図１は、本発明の一実施形態である液晶パネル１００の構成を示す斜視図であり、図２は、この液晶パネル１００の分解斜視図である。なお、これらの図および以下に示す各図においては、各層や各部材を図面上で認識可能な程度の大きさとするため、各層や各部材ごとに縮尺を異ならせている。
【００１４】
図１および図２に示すように、この液晶パネル１００は、対向して配置された第１基板１および第２基板２と、両基板間に介挿された長方形の枠状のシール部３と、第１基板１、第２基板２およびシール部３によって囲まれる領域に封入された液晶４とを具備している。
【００１５】
第１基板１および第２基板２は石英、ガラスまたはプラスティック等により構成される板状部材であり、各々の内側（液晶４側）表面には液晶４に電界を印加するための複数の電極が形成されている。具体的には、第１基板１の内側表面には、複数の第１データ電極１１がストライプ状に形成される。一方、第２基板２の内側表面には、上記各第１データ電極１１に直交する部分を有する複数の走査電極２１と、第１基板１および第２基板２が接合された状態で前記第１データ電極１１に導通される複数の第２データ電極２２とが形成されている。第１データ電極１１、走査電極２１および第２データ電極２２の各々は、例えばＩＴＯ（Indium Tin Oxide）等によって形成される透明電極である。なお、本実施形態においては、第１データ電極１１の本数が、走査電極２１の本数よりも多くなっている。また、第２データ電極２２の各々は、第１データ電極１１の各々と対応しており、第１データ電極１１の本数と同数だけ設けられている。
【００１６】
ここで、図１および図２に示すように、第２基板２は第１基板１よりも一方向において大きく（長く）なっている。従って、両基板を張合わせた状態において、第２基板２の一部が第１基板１の１つの縁部（図２中のＡで示す縁部）から張り出す構成となっている。そして、この張り出した領域（以下、「張出領域２ａ」という）の図中Ｘ軸方向における中央部近傍には、上記複数の第１データ電極１１に対して画像信号に応じた電圧を供給するためのデータ電極駆動回路５が配設される一方、張出領域２ａの端部（図２においてはＸ軸の負方向の端部）近傍には、上記複数の走査電極２１に対して画像信号に応じた電圧を供給するための走査電極駆動回路６が配設されている。また、張出領域２ａ上には、データ電極駆動回路５および走査電極駆動回路６の入力端子に接続される端子部８が形成されており、外部の装置から出力された画像信号が、この端子部８を介して各駆動回路に供給されるようになっている。なお、上記データ電極駆動回路５および走査電極駆動回路６は、それぞれ特許請求の範囲における「第１駆動回路」および「第２駆動回路」のうちのいずれか一方に相当するものである。
【００１７】
複数の第１データ電極１１が形成された第１基板１の表面、および複数の走査電極２１が形成された第２基板２の表面は、配向膜（図示略）によって覆われている。この配向膜は、ポリイミド等の有機薄膜に対して一軸配向処理、例えばラビング処理を施したものである。両基板間に封入される液晶は、電界が印加されていない状態において、この配向膜のラビング方向に応じた配向状態となる。一方、第１基板１および第２基板２の外側表面には、それぞれ偏光板（図示略）が貼着されており、各偏光板は、各基板の内側表面を覆う配向膜の配向方向に応じて偏光軸が設定されている。
【００１８】
シール部３は、熱硬化性を有するエポキシ樹脂等により構成され、第１基板１と第２基板２との間隙を一定の厚さに保つためのスペーサ材が混入されている。このシール部３は、一部に液晶４を注入するための開口部３ａを有している。この開口部３ａは、第１基板１、第２基板２およびシール部３によって囲まれる領域内に液晶４が注入された後、接着剤によって閉塞される。
【００１９】
また、シール部３には、上記スペーサ材の他、導電性粒子が混入されている。この導電性粒子は、弾性変形可能なプラスティックビーズの表面にめっきを施したものである。詳細は後述するが、第１基板１上に形成された各第１データ電極１１と、第２基板２上に形成された各第２データ電極２２とは、この導電性粒子によって導通される。
【００２０】
次に、図３および図４を参照して、第１基板１および第２基板２上に形成される各電極の詳細な構成を説明する。なお、以下では、第２基板２のうちの張出領域２ａ以外の領域、すなわち第１基板１と対向する領域を「対向領域２ｂ」と呼ぶ。
【００２１】
まず、図３は、上記第１基板１の液晶４側表面の詳細な構成を示す平面図である。同図に示すように、第１基板１の液晶４側表面には、複数の第１データ電極１１が形成されている。そして、各第１データ電極１１は、図中のＹ軸に平行な方向に形成された表示用電極１１ａと、第１基板１の縁部Ａの近傍においてＹ軸に平行な方向に形成された導通用端子１１ｃと、各表示用電極１１ａと導通用端子１１ｃとを連結する形状に形成された引出電極１１ｂとにより構成されている。ここで、各導通用端子１１ｃの幅は、各表示用電極１１ａの幅よりも狭くなっている。つまり、全体として見ると、複数の第１データ電極１１が、第１基板１の縁部Ａ近傍において、当該縁部Ａの中央部に向かって収束する形状となっている。
【００２２】
一方、図４は、上記第２基板２の液晶４側表面の詳細な構成を示す平面図である。第２基板２の液晶４側表面には、上述したように、複数の第２データ電極２２と、複数の走査電極２１とが形成されている。各第２データ電極２２は、図４に示すように、対向領域２ｂのうちの張出領域２ａ近傍の部分に形成された導通用端子２２ａと、第１入力端子２２ｃと、各導通用端子２２ａと各第１入力端子２２ｃとを連結する形状に形成された引出電極２２ｂとからなる。各第２データ電極２２の第１入力端子２２ｃは、張出領域２ａのＸ軸方向における中央部近傍において、Ｘ軸方向に配列されるようになっている。
【００２３】
一方、第２基板２上に形成された複数の走査電極２１の各々は、Ｘ軸に平行な方向に延在して形成された表示用電極２１ａと、張出領域２ａの端部近傍（図４に示す例においては左端部近傍）に形成された第２入力端子２１ｃと、各表示用電極２１ａの一端と各第２入力端子２１ｃとを連結する形状に形成された引出電極２１ｂとからなる。すなわち、各引出電極２１ｂは、表示用電極２１ａのＸ軸の負方向に位置する一端から、第２基板２の一辺に沿って延び、第２入力端子２１ｃの一端に至る形状に形成されている。また、各走査電極２１の第２入力端子２１ｃは、張出領域２ａの端部近傍において、Ｘ軸方向に配列されるようになっている。
【００２４】
次に、図５は、上記第１基板１と第２基板２とを、各々の表面上に形成された電極が対向するように、シール部３を挟んで貼り合わせたものを、第１基板側から見た場合の詳細な構成を示す平面図である。この図５および前掲した図３および図４から分かるように、両基板を貼り合わせた状態において、第１基板１上に形成された各第１データ電極１１の導通用端子１１ｃと、第２基板２上に形成された各第２データ電極２２の導通用端子２２ａとは、シール材３を介して対向する。そして、各導通用端子１１ｃおよび２２ａは、シール材３に混入された導電性粒子によって導通されるようになっている。この結果、各第１データ電極１１と第２データ電極２２とが導通されて１本のデータ電極を形成するとともに、全体としてみると、第１基板１の大部分を占める複数のデータ電極が、収束しつつ第２基板２の張出領域２ａの中央部近傍に至る形状となる。
【００２５】
ここで、図６は、第１基板１上に形成された各導通用端子１１ｃおよび第２基板２上に形成された各導通用端子２２ａと、これらの間に挟まれたシール部３（導電性粒子３ｂを含む）の近傍の部分を拡大して示す断面図である。同図に示すように、第１基板１と第２基板２とを貼り合わせる際に、導通用端子１１ｃとこれに対応する導通用端子２２ａとを対向させた状態でその間隙を狭めるような力を加えながらシール部３を硬化させると、シール部３中の導電性粒子３ｂは、第１基板１と第２基板２との間で押しつぶされる。この結果、各導通用端子１１ｃとこれに対向する導通用端子２２ａとの間に位置する導電性粒子３ｂは、当該導通用端子１１ｃと導通用端子２２ａとを導通させる。一方、導通用端子１１ｃと導通用端子２２ａとが対向する領域以外の領域に位置する導電性粒子３ｂは、各部の導通には何ら関与しないから、各導通用端子１１ｃとこれに対向する導通用端子２２ａとの間のみが導通される。
【００２６】
再び図５において、各データ電極の一端となる第１入力端子２２ｃは、第２基板２の張出領域２ａの中央部近傍に配設されたデータ電極駆動回路５の各出力端子に接続される。データ電極駆動回路５の各出力端子と第１入力端子２２ｃの各々とは、例えば、ＡＣＦ（Anisotropic Conductive Film）等を介して接続される。
【００２７】
一方、第２基板２上に形成された各走査電極２１の第２入力端子２１ｃは、第２基板２の張出領域２ａの端部近傍に配設された走査電極駆動回路６の各出力端子に接続される。これらの各部も、上述したＡＣＦを介して接続される。
【００２８】
第１基板１と第２基板２とを貼り合わせた状態において、各第１データ電極１１の表示用電極１１ａと、各走査電極２１の表示用電極２１ａとは直交するようになっており、各表示用電極１１ａおよび２１ａが交差する部分と、当該部分に挟まれる液晶４とによって画素が形成される。すなわち、各表示用電極１１ａおよび２１ａが交差する領域に画像が表示される。以下、この領域を画像表示領域という。本実施形態においては、第１データ電極１１および走査電極２１の各々が、上述した画像表示領域以外の領域（すなわち、画像表示領域の周辺部分等）にまで至るように形成されている。例えば、図３および図４において破線で囲まれた部分に形成された電極である。これらの領域に形成された電極は、画像の表示に関しては何ら関与することはないが、両基板の間隙の厚さを、画像表示領域とそれ以外の領域とでほぼ同じにする役割を担っている。つまり、仮に、シール部３によって囲まれた領域（液晶４が封入される領域）のうち、画像表示領域内のみに第１データ電極１１および走査電極２１を形成し、それ以外の領域には電極を形成しないとすると、画像表示領域以外の領域における両基板の間隙の厚さが、画像表示領域内における両基板の間隙の厚さよりも、電極の厚さの分だけ厚くなってしまう。すなわち、画像表示領域以外の領域における液晶層の厚さと、画像表示領域内における液晶層の厚さとが異なってしまい、この結果各領域の色が異なってしまうという問題がある。これに対し、本実施形態においては、画像表示領域以外の部分にも電極が形成されているため、このような不具合が生じない。以下では、このように、画像表示領域以外の領域に形成された電極を「ダミー電極」と呼ぶ。本実施形態においては、第１データ電極１１の引出電極１１ｂと、走査電極２１の引出電極２１ｂとの間に位置する第２基板２上の領域にも、ダミー電極（図４中のＢで示す部分）が形成されている。
【００２９】
以上が本実施形態に係る液晶パネル１００の構成である。
【００３０】
以上説明したように、本実施形態によれば、第２基板２の張出領域２ａ上にデータ電極駆動回路５および走査電極駆動回路６の両方が配設されているため、前掲図８に示した従来の技術と比較して、液晶パネルの大きさを小さくすることができるという利点がある。さらに、データ電極に接続される駆動回路と走査電極に接続される駆動回路とを別個に設けたため、各電極を１個の駆動回路に至るように形成する場合と比較して、電極の形成を容易に行うことができる。
【００３１】
また、本実施形態においては、データ電極を張出領域２ａの中央部近傍に収束させ、同じく張出領域２ａの中央部近傍に配設されたデータ電極駆動回路５の出力端子に接続するようになっている。ここで、一方の電極を張出領域２ａの中央部近傍に収束させた場合、以下の利点が得られる。
【００３２】
まず、仮に上記各データ電極を張出領域２ａの右端部（Ｘ軸の正方向側）近傍に向けて収束させたとすると、第２データ電極２２の引出電極２２ｂの延びる方向とＸ軸の負方向とがなす角（図４中の角αに相当する角）が、上記図５に示した場合と比較して小さくなり、第２データ電極２２の引出電極２２ｂの幅を、図５に示す場合と比較して狭くしなければならない。そして、電極の幅を狭くした場合、各電極の断線や、隣接する電極間における短絡等が生じやすくなるといった問題がある。これに対し、本実施形態においては、データ電極を張出領域２ａの中央部近傍に収束させるようになっているため、上記角αはそれほど小さくならない。従って、第２データ電極２２の引出電極２２ｂの幅は、各データ電極を張出領域２ａの端部に収束させた場合ほど狭くならないから、上述した問題を回避することができる。
【００３３】
また、本実施形態においては、データ電極と走査電極２１のうちの配線数が多い方を、張出領域２ａの中央部近傍に収束させた場合には、以下の利点が得られる。すなわち、仮に本数が少ない方の電極を張出領域２ａの中央部近傍に収束させるように形成した場合、当該電極が形成された領域を避けるように、本数が多い方の電極を形成する必要がある。これに対し、本数が多い方の電極を中央部近傍に収束させる場合、当該電極を優先的に基板上に形成するとともに、当該電極が形成された領域を避けるように、本数が少ない電極を形成すればよいため、上述した場合と比較して電極形成に際しての制約を軽減することができる。
【００３４】
また、本実施形態においては、張出領域２ａの中央部に収束されるデータ電極を、第１基板１および第２基板２に分割して形成し、シール部３内の導電性粒子によって導通させる構成とした。このように、張出領域の中央部に収束される電極を各基板間において導通させるようにした場合、以下の利点がある。すなわち、上述したように、本数が多い方の電極を張出領域２ａの中央部近傍に収束させるようにした場合、当該電極を本数が少ない方の電極と比較して優先的に形成することができる。従って、第１データ電極１１の導通用端子１１ｃおよび第２データ電極２２の導通用端子２２ａの形状（各導通用端子１１ｃおよび２２ａの幅や間隔等）を、導電性材料を介して確実に導通させるために必要かつ充分な形状とすることができる。
【００３５】
なお、上記実施形態においては、データ電極の本数が走査電極の本数よりも多い液晶パネルを例にとって説明したが、走査電極の本数がデータ電極の本数よりも多いタイプの液晶パネルにも本発明を適用することができる。この場合、本数の多い走査電極を第２基板の張出領域の中央部に収束させるとともに、各走査電極の端部を当該領域の中央部近傍に配設された走査線駆動回路の出力端子に接続するようにすればよい。
【００３６】
Ｂ：応用例
次に、上記各実施形態に係る液晶パネル１００を各種の電子機器の表示装置として適用する場合について説明する。この場合、電子機器３００は、図７に例示するように、表示情報出力源３０１、表示情報処理回路３０２、電源回路３０３、タイミングジェネレータ３０４および上述した液晶パネル１００により構成される。
【００３７】
表示情報出力源３０１は、ＲＯＭやＲＡＭ等のメモリ、各種ディスク等のストレージユニット、ディジタル画像信号を同調出力する同調回路等を備えて構成され、タイミングジェネレータ３０４によって出力される各種のクロック信号に基づき、所定のフォーマットの画像信号などの表示情報を表示情報処理回路３０２に出力する。表示情報処理回路３０２は、増幅・反転回路や、ローテーション回路、ガンマ補正回路およびクランプ回路等、周知の各種回路を備え、供給された表示情報の処理を実行して、その画像信号をクロック信号とともに液晶パネル１００の駆動回路に供給する。また、電源回路３０３は、各構成要素に所定の電源を供給する。
【００３８】
上記電子機器の具体例としては、例えば、可搬型パーソナルコンピュータ、携帯電話機、ビューファインダ型またはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた各種装置等が考えられる。
【００３９】
以上説明したように、本実施形態によれば、第１電極に接続される第１駆動回路、および第２電極に接続される第２駆動回路の両方を、一方の基板上に形成するようにしたため、各基板上に駆動回路を配設した従来の技術と比較して液晶表示装置の占めるスペースを縮小することができる。さらに、両基板上に形成された電極の各々を、別個の駆動回路に接続するようになっているため、両基板上に形成された電極を１個の駆動回路に至るように形成する場合と比較して、電極の形成が容易となり、電極の短絡および断線といった不具合の発生を抑えることができる。
【図面の簡単な説明】
【００４０】
【図１】本発明の一実施形態である液晶パネルの構成を示す斜視図である。
【図２】同実施形態における液晶パネルを分解した様子を示す斜視図である。
【図３】同実施形態における液晶パネルの第１基板上の構成を示す平面図である。
【図４】同実施形態における液晶パネルの第２基板上の構成を示す平面図である。
【図５】同実施形態における液晶パネルの各電極の詳細な構成を示す平面図である。
【図６】同実施形態における各導通用端子の導通の様子を説明するための断面図である。
【図７】本発明の一実施形態である電子機器の構成を示すブロック図である。
【図８】従来の液晶パネルの構成を示す平面図である。
【図９】従来の液晶パネルの構成を示す平面図である。
【符号の説明】
【００４１】
１…第１基板、２…第２基板、２ａ…張出領域、２ｂ…対向領域、３…シール部、３ａ…開口部、３ｂ…導電性粒子、４…液晶、５…データ電極駆動回路（第１駆動回路、第２駆動回路）、６…走査電極駆動回路（第１駆動回路、第２駆動回路）、１１…第１データ電極（第１電極）、２１…走査電極（第２電極）、２２…第２データ電極（第１電極）、１１ａ，２１ａ…表示用電極、１１ｂ，２１ｂ，２２ｂ…引出電極、１１ｃ，２２ａ…導通用端子、２１ｃ…第２入力端子、２２ｃ…第１入力端子。
【図１】
2006243773.tif 000003
【図２】
2006243773.tif 000004
【図３】
2006243773.tif 000005
【図４】
2006243773.tif 000006
【図５】
2006243773.tif 000007
【図６】
2006243773.tif 000008
【図７】
2006243773.tif 000009
【図８】
2006243773.tif 000010
【図９】
2006243773.tif 000011